(57)【特許請求の範囲】
【請求項１】
上部が開口した箱状の本体ケースと、
前記本体ケースの上部開口を覆い、被加熱物を載置可能な天板部と、
前記天板部の下方に配設された加熱手段と、
前記天板部に設けられ、前記本体ケース内の部品を冷却するための冷却風を吸込みあるいは排出する開口部と、
端部同士を突き合わせて並べられて前記開口部を覆う複数の通気カバーと、
前記開口部を挟んで対向する位置に設けられ、前記通気カバーの前記端部を載置可能な第１保持部材及び第２保持部材とを備え、
前記開口部の周縁の一部を開口面内側に向かって延長して取付台を設け、前記第２保持部材を前記取付台に載置したものであり、
前記取付台は、前記開口部の周縁の一部を開口面内側に向かって延長した延長部と、前記延長部に連なって下方向に折り曲げられた折曲部とを備え、
前記第２保持部材は、前記取付台の折曲部を少なくとも覆うスカート部を備えた
ことを特徴とする加熱調理器。
【請求項２】
前記第１保持部材及び第２保持部材の少なくとも一方の上面に、前記突き合わされる通気カバーの端部と端部の間に位置するリブを設けた
ことを特徴とする請求項１記載の加熱調理器。
【発明の詳細な説明】
【技術分野】
【０００１】
本発明は、加熱調理器の本体内の部品を冷却する空気を吸排気するための開口部を天板部に設け、この開口部を覆うカバーを備えた加熱調理器に関する。
【背景技術】
【０００２】
従来、「前記吸気口および前記排気口上部を通気口を有する着脱可能な通気カバーで覆い」、「通気カバーをトッププレートに設けた防振性材料からなる位置決め部材に載置し」た加熱調理器が提案されている（例えば、特許文献１参照）。
【先行技術文献】
【特許文献】
【０００３】
【特許文献１】特開２００９−３０１９９０号公報（第２頁、第５頁、図３）
【発明の概要】
【発明が解決しようとする課題】
【０００４】
特許文献１に記載の加熱調理器は、天板の上枠（プレート枠）に設けた位置決め部材に通気カバーを載置することで、吸気口及び排気口の周囲の上枠と通気カバーとの干渉による振動音の発生を防いでいる。しかし、吸気口あるいは排気口である１つの開口部を１つの通気カバーで覆うことを前提としたものであり、複数のカバーを、その端部同士を突き合わせるようにして並べて１つの開口部を覆う構成については、考慮されていなかった。
【０００５】
１つの開口部を複数の通気カバーで覆う場合、通気カバーの端部同士が、開口部の上方で突き合わされることとなる。このように開口部の上方で通気カバーの端部同士が突き合わされる構成において、通気カバーと天板との干渉を抑制することのできる技術が望まれていた。
【０００６】
本発明は、上記のような課題を解決するためになされたものであり、吸気口あるいは排気口の開口部を、複数の通気カバーを突き合わせて並べて覆う加熱調理器であって、通気カバーと天板との干渉を抑制することのできる加熱調理器を提供するものである。
【課題を解決するための手段】
【０００７】
本発明に係る加熱調理器は、上部が開口した箱状の本体ケースと、本体ケースの上部開口を覆い、被加熱物を載置可能な天板部と、天板部の下方に配設された加熱手段と、天板部に設けられ、本体ケース内の部品を冷却するための冷却風を吸込みあるいは排出する開口部と、端部同士を突き合わせて並べられて開口部を覆う複数の通気カバーと、開口部を挟んで対向する位置に設けられ、通気カバーの端部を載置可能な第１保持部材及び第２保持部材とを備え、開口部の周縁の一部を開口面内側に向かって延長して取付台を設け、第２保持部材を取付台に載置したものであり、取付台は、開口部の周縁の一部を開口面内側に向かって延長した延長部と、延長部に連なって下方向に折り曲げられた折曲部とを備え、第２保持部材は、取付台の折曲部を少なくとも覆うスカート部を備えたものである。
【発明の効果】
【０００８】
本発明に係る加熱調理器は、複数の通気カバーの端部同士を突き合わせて並べて吸排気のための開口部を覆う構成であり、通気カバーの突き合わされる側の端部を載置可能な第１保持部材及び第２保持部材を、前記開口部を挟んで対向する位置に設けた。突き合わされる通気カバーの端部を第１保持部材及び第２保持部材に載置することで、通気カバーの位置規制を行うことができるので、加熱調理器の振動によって通気カバーと天板とが衝突して生じる干渉音の発生を抑制することができる。
【図面の簡単な説明】
【０００９】
【図１】実施の形態１に係る加熱調理器の斜視図である。
【図２】実施の形態１に係る加熱調理器の通気カバーを取り外した状態を示す斜視図である。
【図３】実施の形態１に係る加熱調理器の天板部を取り外した一部を分解して内部構造を示す斜視図である。
【図４】実施の形態１に係る通気カバーの保持部材を説明する斜視図である。
【図５】図４のＡ−Ａ線における通気カバーを載置した状態を示す断面図である。
【図６】実施の形態２に係る通気カバーの保持部材を説明する斜視図である。
【発明を実施するための形態】
【００１０】
実施の形態１．
本実施の形態１では、いわゆるビルトイン式の加熱調理器を例に説明する。図１は実施の形態１に係る加熱調理器の斜視図、図２は加熱調理器の通気カバーを取り外した状態を示す斜視図、図３は天板部２０を取り外した加熱調理器の一部を分解して内部構造を示す斜視図である。
【００１１】
［加熱調理器の全体構成］
図１〜図３を参照して本実施の形態１に係る加熱調理器の全体構成を説明する。
加熱調理器１００は、上面を開口したほぼ直方体の本体ケース１０と、本体ケース１０の上面開口を覆う天板部２０と、天板部２０に載置された鍋などの被加熱物を加熱する加熱コイルユニット３０と、使用者による操作を受け付けるとともに加熱条件や動作状態を表示する操作表示部４０と、操作表示部４０からの信号を受けて加熱コイルユニット３０による加熱動作を制御する制御回路を備えた制御基板１３とを備える。
【００１２】
天板部２０は、上枠２１と、トッププレート２２という２つの大きな部品から構成されている。上枠２１は、全体が非磁性ステンレス板又はアルミ板などの金属製板によって額縁状に形成され、本体ケース１０の上面開口を塞ぐような大きさを有している。
【００１３】
トッププレート２２は、額縁形状の上枠２１の中央に設けられた大きな開口部を隙間なく覆うように本体ケース１０の上方に重ね合わせて設置されている。このトッププレート２２は、全体が耐熱強化ガラスや結晶化ガラス等の赤外線を透過させる半透明な材料からなり、上枠２１の開口部の形状に合わせて長方形又は正方形に形成されている。さらにトッププレート２２の前後左右側縁は、上枠２１の開口部との間にゴム製パッキンやシール材（図示せず）を介在させて水密状態に固定されている。このように、上枠２１とトッププレート２２との対面部分に形成される間隙はゴム製パッキンやシール材（図示せず）により塞がれているため、トッププレート２２の上面から本体ケース１０の内部に水滴などが浸入しないようになっている。
【００１４】
上枠２１には、左通風口２３ａ、中央通風口２３ｂ、右通風口２３ｃ（以下、通風口２３と総称する場合がある）が形成されている。通風口２３は、上枠２１を形成する際にプレス機械で同時に打ち抜き形成されている。
【００１５】
左通風口２３ａ、中央通風口２３ｂ、右通風口２３ｃの上には、これら３つの上方全体を覆うようにして、２枚の通気カバー２５が着脱自在に載置されている。通気カバー２５は、金属製でほぼ平板状を有し、平面視ほぼ矩形状であり、その上面２５ａの全体に亘って複数の連通孔２５ｂが形成されている。本実施の形態１では、通気カバー２５の長辺に平行な複数のスリットにより連通孔２５ｂを形成しているが、例えば、連通孔用の小孔をプレス加工で形成してもよいし、通気カバー２５の上面２５ａを金網で構成してもよい。いずれにしても、連通孔２５ｂは、上方から使用者の指や異物が通風口２３に入らないようにするものであればよい。
【００１６】
この２枚の通気カバー２５は、長手方向に並べられ、加熱調理器１００の中央側に位置する端部２５ｃ同士を突き合わせて配置されている。２枚の通気カバー２５の端部が突き合わされる位置は、中央通風口２３ｂの開口部の上方である。なお、ここで「突き合わせる」とは、端部２５ｃ同士が厳密に密着している必要はないが、通風口２３の開口部に使用者の指や異物が入り込まない程度に両者が近づいている状態をいう。
また、通気カバー２５の端部２５ｃを除く上面２５ａの外周には、下方向に折り曲げ加工された外周縁２５ｄが形成されている。通気カバー２５を上枠２１に取り付けたとき、この外周縁２５ｄが保持部材６１、６２、６３（後述する）の外周側に接し、通気カバー２５を位置決めする。
【００１７】
本体ケース１０の内部には、トッププレート２２に載置される金属製鍋等の被加熱物Ｎを誘導加熱するための加熱コイル３１と、加熱コイル３１を載置するコイルベース３２とを備えた加熱コイルユニット３０が搭載されている。
加熱コイル３１は、トッププレート２２の下面側との間に微小間隙をおいて近接して配置された誘導加熱源である。加熱コイル３１は、渦巻状に０．１ｍｍ程度の細い線を３０本程束にして、この束（以下、集合線という）を１本又は複数本撚りながら巻き、外形形状が円形になるようにして最終的に円盤形に成形されている。加熱コイル３１に高周波電流を発生させると、この高周波電流がもたらす電磁誘導作用によりトッププレート２２上に載置された鍋等の被加熱物に渦電流が発生し、この被加熱物Ｎに生じた渦電流がジュール熱となって被加熱物が発熱する。
【００１８】
コイルベース３２は、加熱コイル３１を保持するための部材である。コイルベース３２は、加熱コイル３１から発生した磁力線が下側に流れるのを防止するためのフェライトや、被加熱物の温度を検出するための温度センサを設けておくのが望ましい。
【００１９】
なお、図３では加熱コイルユニット３０を１つ記載しているが、本実施の形態１では、同様の構成の加熱コイルユニットを左右に２つ配置して二口の加熱口を設けている。このような誘導加熱源のほか、例えばラジエントヒータと呼ばれて電気輻射熱で加熱する輻射式電気加熱源を設けてもよい。
【００２０】
本体ケース１０の内部には、箱形のグリル加熱室１１と、左側面側及び右側面側に前後方向に亘って設けられた冷却室１２とが区画形成されている。
グリル加熱室１１の前面開口は、本体ケース１０の前面側に設けられたドア１１ａにより開閉自在に覆われていて、このドア１１ａは使用者の操作によって前後方向に移動自在になるよう、レールやコロ等の支持機構（図示せず）によってグリル加熱室１１に保持されている。グリル加熱室１１の内部には、例えばシーズヒータなどの輻射式電気加熱源（図示せず）を備えている。グリル加熱室１１の後部には排気ダクト１８が設けられていて、この排気ダクト１８により、グリル加熱室１１内の空気を加熱調理器１００の外部に排気可能となっている。天板部２０を本体ケース１０に載置したとき、排気ダクト１８の排気口１８ａは、上枠２１に設けられた中央通風口２３ｂの下方に位置する。
【００２１】
冷却室１２には、加熱調理器１００の全体的な制御を行う制御基板１３等の部品を収容した部品ケース１４と、ファンケース１５とが収容されている。
ファンケース１５内には、例えばシロッコファンなどのファン１６を備えていて、ファン１６の駆動によりファンケース１５の上部に開口した吸込口１５ａから吸い込まれた空気が、吹出口１５ｂから冷却風として吹き出されるようになっている。
【００２２】
部品ケース１４は、ファンケース１５の吹出口１５ｂから吹き出される冷却風を内部に導入するための導入口１４ａと、部品ケース１４内に導入された冷却風を吹き出すための吹出口１４ｂ、１４ｃを備えている。天板部２０を本体ケース１０に載置したとき、部品ケース１４の導入口１４ａは、上枠２１に設けられた左通風口２３ａ又は右通風口２３ｃの下方に位置する。
【００２３】
部品ケース１４の上方であって加熱コイルユニット３０の下方には、プラスチック等で構成された冷却ダクト１７が設けられている。冷却ダクト１７には、上面を貫通する複数の噴出口１７ａが形成されている。
【００２４】
次に、中央通風口２３ｂ、通気カバー２５の保持部材、及び通気カバー２５の取り付け構造について説明する。
図４は、実施の形態１に係る通気カバー２５の保持部材を説明する斜視図であり、主要部のみ示している。図５は、図４のＡ−Ａ線における通気カバー２５を載置した状態の断面図である。
以下、図２、図４、図５を参照して、実施の形態１に係る中央通風口２３ｂ、通気カバー２５、及び保持部材６１、６２、６３の構成を説明する。
【００２５】
保持部材６１、６２、６３は、例えばゴムなどの防振性材料で構成され、通風口２３の上方に載置される通気カバー２５を位置決めして保持するための部材である。
保持部材６１は、上枠２１に取り付けられていて、本発明の第１保持部材に相当する。保持部材６１は、中央通風口２３ｂの左右方向ほぼ中央であって、中央通風口２３ｂの奥側に配置されている。
保持部材６２は、中央通風口２３ｂの開口部の周縁に延長して設けられた取付台２６に取り付けられていて、本発明の第２保持部材に相当する。保持部材６１と保持部材６２は、中央通風口２３ｂの開口部を挟んで対向する位置に取り付けられている。
保持部材６３は、左通風口２３ａの左側と右通風口２３ｃの右側の上枠２１上に取り付けられている。
【００２６】
図５に示すように、取付台２６は、中央通風口２３ｂの左右方向ほぼ中央に位置する周縁の一部を略水平方向に延長して形成された延長部２６ａと、この延長部２６ａの延長方向先端を下方に向かって折り曲げて形成された折曲部２６ｂとを備えている。折曲部２６ｂは、略直角程度以下の角度に折り曲げられていて、さらに、垂直断面から見てやや丸みを帯びた形状を有している。このような折曲部２６ｂにより、通気カバー２５を取り外した状態で使用者が中央通風口２３ｂに手を入れた場合でも、中央通風口２３ｂの板金のエッジから使用者の手を保護するようになっている。
【００２７】
この取付台２６は、保持部材６２を取り付けるためのスペースを上枠２１に増設するために設けられたものである。例えば、上枠２１や中央通風口２３ｂの大きさの制約上、保持部材６１や保持部材６２を取り付けるためのスペースを上枠２１の平面部に設けることができない場合がある。そこで、本実施の形態１では、中央通風口２３ｂの開口部内側に向かって延びる取付台２６を設け、この取付台２６に保持部材６２を取り付けている。このようにすることで、中央通風口２３ｂの手前側（中央通風口２３ｂとトッププレート２２との間）に保持部材６２を載置するためのスペースを設ける必要がなくなり、上枠２１の面積を小さくすることができる。なお、本実施の形態１では中央通風口２３ｂの手前側に取付台２６を設けた例を説明したが、中央通風口２３ｂの奥側に取付台を設けてもよい。
【００２８】
さらに、本実施の形態１に係る保持部材６２は、上面がほぼ水平の保持部６２ａと、保持部６２ａに連なって形成されていて下方に向かって延びるスカート部６２ｂとを備えている（図５参照）。保持部材６２は、図５に示す断面においてほぼ鉤型に形成されている。そして、スカート部６２ｂの下端は、取付台２６の折曲部２６ｂの下端よりも下側に位置している。スカート部６２ｂは、取付台２６の折曲部２６ｂの外周側を覆っている。このようなスカート部６２ｂを設けたことにより、通気カバー２５を取り外した状態で使用者が中央通風口２３ｂに手を入れた場合でも、使用者の手が取付台２６の折曲部２６ｂに触れることがない。このため、中央通風口２３ｂの板金のエッジから使用者の手をさらに保護することができる。
【００２９】
このように構成された保持部材６１、６２、６３により、平面視矩形状の２つの通気カバー２５のそれぞれの四隅が保持され、通気カバー２５が位置規制される。
【００３０】
［加熱調理器の動作］
次に、上記のように構成された加熱調理器１００の動作概要を説明する。操作表示部４０に設けられた主電源ボタンが操作されて電源が投入され、火力と加熱時間等の加熱条件が設定されると、設定された火力に応じた電圧が印加されて加熱対象の加熱コイル３１に高周波電流が流れる。これによって生じる高周波磁束により、トッププレート２２の上に載置された鍋等の被加熱物が加熱される。
【００３１】
次に、図１〜図３を参照して、加熱調理器１００の吸排気動作について説明する。
加熱コイル３１等への通電が開始されると、制御基板１３に搭載された制御回路によりファン１６が駆動される。ファン１６が駆動されると、加熱調理器１００の外部の空気が、通気カバー２５で覆われた左通風口２３ａあるいは右通風口２３ｃを通って、吸込口１５ａからファンケース１５内へと吸引される。ファンケース１５内へと吸引された空気は、ファンケース１５の吹出口１５ｂから冷却風として吹き出され、この冷却風は部品ケース１４の導入口１４ａから部品ケース１４内へと進む。部品ケース１４内に侵入した冷却風は、部品ケース１４内に収納された制御基板１３を冷却しつつ、吹出口１４ｂ、１４ｃから吹き出される。吹出口１４ｂ、１４ｃから吹き出された冷却風は、冷却ダクト１７に設けられた噴出口１７ａを通って上方へ噴出し、真上にある加熱コイル３１の下面に衝突して加熱コイル３１を効果的に冷却する。加熱コイル３１を冷却した冷却風は、加熱コイル３１と天板部２０との間の空間を奥側（加熱調理器１００の背面側）に向かって流れ、中央通風口２３ｂを通って排出される。また、グリル加熱室１１内の加熱源による加熱を行った場合には、グリル加熱室１１の内部に高温の熱気が発生するので、排気ダクト１８内に設けた送風機（図示せず）を運転してグリル加熱室１１内の熱気を排気ダクト１８の排気口１８ａから排出する。排気口１８ａからの排気は、中央通風口２３ｂを通って加熱調理器１００の外部へと吹き出される。
【００３２】
このような加熱動作により、加熱調理器１００には振動が発生する。また、中央通風口２３ｂからの排気により、中央通風口２３ｂが形成された天板部２０の上枠２１にも振動が生じる。
しかし、本実施の形態１によれば、冷却風を排出する中央通風口２３ｂの開口部を挟んで対向する位置に保持部材６１と保持部材６２を設け、この保持部材６１、６２上に２枚の通気カバー２５の端部２５ｃを載置した。このため、中央通風口２３ｂからの排気により振動が生じても、通気カバー２５の端部２５ｃ近傍における上枠２１との干渉を低減することができる。
【００３３】
さらに、２枚の通気カバー２５の四隅は、それぞれ、保持部材６１、６２、６３によって保持されているので、通気カバー２５と上枠２１との干渉と干渉音の発生をさらに低減できる。
例えば、本実施の形態１の通気カバー２５のように板金を用いて平面視ほぼ矩形状の通気カバーを構成した場合、通気カバーを長手方向に長くすると、通気カバーの対角線上に生じるねじれが大きくなる。通気カバーのねじれが大きくなると、天板部２０の上枠２１に載置したときに通気カバーががたつくこととなる。このため、通気カバーの長手方向の長さは、上記のようなねじれが極力発生しないような長さとすることが望まれる。一方で、例えば吸気あるいは排気のための開口部が複数存在する場合、各開口部に対応する通気カバーを個別に設けるとなると、部品点数の増加に繋がる。
このような観点からも、本実施の形態１のように２枚の通気カバー２５を設け、この通気カバー２５により通風口２３の全体を覆うようにすることは有効である。２枚の通気カバー２５により通風口２３の全体を覆うように構成した結果、２枚の通気カバー２５の端部を突き合わせる位置が中央通風口２３ｂの上方に位置しているが、上記のような保持部材６１、６２により通気カバー２５の端部２５ｃを保持することができ、通気カバー２５と上枠２１との干渉の低減が可能になっている。
【００３４】
さらに、中央通風口２３ｂの開口部内側に向かって延びる取付台２６を設け、この取付台２６に保持部材６２を取り付けたので、中央通風口２３ｂの外周側に保持部材６２を取り付けるためのスペースが不要となる。このため、上枠２１の面積を小さくすることができ、加熱調理器１００全体の小形化に資する。
【００３５】
また、保持部材６２は、上面がほぼ水平の保持部６２ａと、保持部６２ａに連なって形成されていて下方に向かって延びるスカート部６２ｂとを備え、スカート部６２ｂが取付台２６の折曲部２６ｂを覆うように構成した。このため、通気カバー２５を取り外した状態で使用者が中央通風口２３ｂに手を入れた場合でも、使用者の手が取付台２６の折曲部２６ｂに触れることがない。このため、中央通風口２３ｂの板金のエッジから使用者の手を保護することができる。
【００３６】
実施の形態２．
図６は、実施の形態２に係る通気カバーの保持部材を説明する斜視図である。図６において、実施の形態１と同一又は対応する部分には同一の符号を付し、本実施の形態２では、前述の実施の形態１との相違点を中心に説明する。
【００３７】
保持部材１６２の保持部１６２ａは、実施の形態１の保持部６２ａに相当する。また、図６では図示しないが、保持部材１６２は、実施の形態１のスカート部６２ｂと同様のスカート部を備えている。
そして、保持部材１６２は、保持部１６２ａの上面の左右方向ほぼ中央に、上方に向かって起立するリブ１６２ｃを備えている。２枚の通気カバー２５を左右に並べて通風口２３に取り付けると、２枚の通気カバー２５の端部２５ｃは、それぞれ、リブ１６２ｃの左側あるいは右側に配置される。すなわち、２枚の通気カバー２５の端部２５ｃが、リブ１６２ｃを挟んで突き合わされることとなる。
【００３８】
このようにリブ１６２ｃを備えた保持部材１６２により、加熱動作や吸排気動作によって加熱調理器１００に振動が発生した場合でも、２枚の通気カバー２５の端部２５ｃ同士がぶつかって振動音が発生するのを防ぐことができる。また、通気カバー２５の端部２５ｃ同士の衝突を回避できるので、衝突による通気カバー２５の端部２５ｃの破損も回避できる。
【００３９】
なお、上記説明では、３つの開口部（左通風口２３ａ、中央通風口２３ｂ、右通風口２３ｃ）の全体を２枚の通気カバー２５で覆うものであって、中央通風口２３ｂの上方で２枚の通気カバー２５の端部２５ｃ同士を突き合わせる例を説明したが、開口部の数や通気カバーの数を限定するものではない。
【符号の説明】
【００４０】
１０  本体ケース、１１  グリル加熱室、１１ａ  ドア、１２  冷却室、１３  制御基板、１４  部品ケース、１４ａ  導入口、１４ｂ  吹出口、１５  ファンケース、１５ａ  吸込口、１５ｂ  吹出口、１６  ファン、１７  冷却ダクト、１７ａ  噴出口、１８  排気ダクト、１８ａ  排気口、２０  天板部、２１  上枠、２２  トッププレート、２３  通風口、２３ａ  左通風口、２３ｂ  中央通風口、２３ｃ  右通風口、２５  通気カバー、２５ａ  上面、２５ｂ  連通孔、２５ｃ  端部、２５ｄ  外周縁、２６  取付台、２６ａ  延長部、２６ｂ  折曲部、３０  加熱コイルユニット、３１  加熱コイル、３２  コイルベース、４０  操作表示部、６１  保持部材、６２  保持部材、６２ａ  保持部、６２ｂ  スカート部、６３  保持部材、１００  加熱調理器、１６２  保持部材、１６２ａ  保持部、１６２ｃ  リブ。
【図１】
0005586291.tif 000002
【図２】
0005586291.tif 000003
【図３】
0005586291.tif 000004
【図４】
0005586291.tif 000005
【図５】
0005586291.tif 000006
【図６】
0005586291.tif 000007